(57)【要約】【課題】  薄厚化や小型化を可能にし、多様性を発揮するようにした連結具を提供する。【解決手段】  連結具本体２と、ストラップ部材３に取り付けられ、かつ連結具本体２に着脱可能に保持される取付部材４とを備えてなる連結具である。取付部材４にカムフロア２１が設けられている。連結具本体２に、カムフロア２１に係合するとともに、カムフロア２１を案内するハートカム溝８が形成されている。カムフロア２１がハートカム溝８の係合開始位置から係止位置にまで移動したとき、取付部材４に押圧されて弾性変形し、かつ、この係止位置から係合開始位置にまで移動するとき、弾性復帰することで取付部材４を付勢する弾性部材１０ａ、１０ｂが設けられている。弾性部材１０ａ、１０ｂはその端部が連結具本体２に形成された保持溝９に移動可能に保持されている。保持溝９は、弾性部材１０ａ、１０ｂの両端部間の間隔を変位させる方向に延びて形成されている。【選択図】      図４
2006333938.tif 000002
【特許請求の範囲】
【請求項１】
連結具本体と、鎖や紐等のストラップ部材の両端部のうちの少なくとも一方に取り付けられ、かつ前記連結具本体に着脱可能に保持される取付部材とを備えてなる連結具であって、
前記取付部材には突起状のカムフロアが設けられ、
前記連結具本体には、前記カムフロアに着脱可能に係合するとともに、該カムフロアとの係合を開始する係合開始位置からこれを係止させる係止位置にまで案内し、かつ前記係止位置から前記係合開始位置にまで案内するハートカム溝が形成され、
さらに、前記カムフロアが前記ハートカム溝に案内されて前記係合開始位置から前記係止位置にまで移動したとき、前記取付部材に押圧されて弾性変形し、かつ、この係止位置から前記係合開始位置にまで移動するとき、弾性復帰することで前記取付部材を前記カムフロアが係合開始位置に移動する方向に付勢する、線状または細板状の弾性部材が設けられ、
前記弾性部材は、少なくとも一方の端部が前記連結具本体に形成された保持溝に移動可能に保持され、
前記保持溝は、前記弾性部材の両端部間の間隔を変位させる方向に延びて形成されていることを特徴とする連結具。
【請求項２】
前記取付部材は、前記ストラップ部材の端部を取り付ける基部と、該基部に設けられた弾性変形可能な細板状または棒状の動作部とからなり、
前記動作部は、前記基部と反対の側に前記カムフロアを有し、かつ、該カムフロアを有した側が該カムフロアの先端側に向けて傾斜した状態に形成され、これにより前記カムフロアが前記ハートカム溝に係合したとき、弾性変形することで該カムフロアの先端をハートカム溝の底面側に付勢するよう、構成されていることを特徴とする請求項１記載の連結具。
【請求項３】
前記取付部材は、前記ストラップ部材の端部を取り付ける基部と、該基部に設けられた細板状または棒状の動作部とからなり、
前記動作部は、前記基部と反対の側に前記カムフロアを有し、かつ、該カムフロアを有した側が、該カムフロアが前記ハートカム溝に係合したとき、該ハートカム溝を形成する面において、前記係合開始位置と前記係止位置とを結ぶ直線と交差する方向に弾性変形可能に形成されていることを特徴とする請求項１又は２に記載の連結具。
【請求項４】
前記連結具本体には、前記ハートカム溝の係合開始位置の外方に、前記取付部材を着脱可能に保持し、かつ、該取付部材の前記カムフロアを前記ハートカム溝の係合開始位置側に案内する保持部が設けられ、
前記取付部材には、位置決め用係合部が設けられ、
前記保持部には、前記位置決め用係合部に係合して前記カムフロアを前記ハートカム溝内に保持させる案内用係合部が設けられていることを特徴とする請求項１〜３のいずれか一項に記載の連結具。
【請求項５】
前記連結具本体には、前記ハートカム溝を形成した側に該ハートカム溝および前記弾性部材を覆う蓋が設けられ、
前記蓋には、前記取付部材のカムフロアが前記係止位置に係止している状態において、該取付部材の浮き上がりを規制する規制部が設けられていることを特徴とする請求項１〜４のいずれか一項に記載の連結具。
【請求項６】
前記取付部材が、前記ストラップ部材の両端部にそれぞれ取り付けられるよう一対備えられ、
前記連結具本体には、前記ハートカム溝とこれに対応する前記弾性部材及び保持溝とが、複数組設けられていることを特徴とする請求項１〜５のいずれか一項に記載の連結具。
【請求項７】
前記ハートカム溝とこれに対応する前記弾性部材及び保持溝とが、前記連結具本体の同一面上に複数組設けられていることを特徴とする請求項６記載の連結具。
【請求項８】
前記ハートカム溝とこれに対応する前記弾性部材及び保持溝とが、前記連結具本体の表裏面にそれぞれ少なくとも一組ずつ設けられていることを特徴とする請求項６記載の連結具。
【請求項９】
装飾具用であることを特徴とする請求項１〜８のいずれか一項に記載の連結具。
【発明の詳細な説明】
【技術分野】
【０００１】
本発明は、ペンダントなどの主に首に掛ける装飾具に好適に用いられる連結具に関する。
【背景技術】
【０００２】
ペンダントやネックレスなどの首にかける装飾具は、使用時には鎖や紐などの首にかけるストラップ部材が止め金などによって環状に連結され、首に巻いた状態で身に付けられる。また、非使用時には、前記の止め金などが外されることで、ストラップ部材が環状の状態から紐状に戻され、首から容易に取り外せるようになっている。
【０００３】
ところで、前記止め金は、例えば雄部材と雌部材とからなり、これらが係合することで連結されるようになっている。また、このような止め金は、使用時において不測に外れないよう、通常は回転させることなどによるロック機構が備えられている。しかしながら、回転させることでのロックやその解除についての操作は、通常、使用者には目視が困難な首の周囲での操作となることから、特に止め金が小さい場合などでは容易でないといった課題があった。
【０００４】
このような背景から、従来、特にユーザが望まないときに不意に外れる危険がなく、望むときの着脱は容易であり、接続と離脱の動作には、回転の操作が不要となる連結具が提供されている（例えば、特許文献１参照）。
この連結具は、ピストン部材がシリンダ部材に嵌入ロックと離脱を自在にする手段を備え、特に前記ピストン部材をシリンダ部材から離脱する方向に離脱弾性力を付勢する弾性部材と、ロックピンとこれを案内するＷ字状またはＭ字状の案内溝とを備えたことなどにより、容易に連結具の切り離しを行うことができるようにしている。そして、これにより、前述したように不意に外れる危険がなく、着脱が容易であり、回転の操作が不要な連結具となっている。
【特許文献１】特開２００３−２２５１０７号公報
【発明の開示】
【発明が解決しようとする課題】
【０００５】
ところで、特にペンダントやネックレス等の装飾具では、装飾を目的とすることから多様性が求められている。例えば、ストラップ部材を連結するための連結具にあっても、その厚さを薄く形成することでスッキリ感を出したり、あるいは、より小型化することでこの連結具に取り付けられる宝石等の装飾材をより際だたせる、などの効果を出せるものの提供が望まれている。
【０００６】
しかしながら、前記の連結具では、シリンダ部材とこれに嵌入するピストン部材とから構成されているので、シリンダ部材にピストン部材を嵌入させる必要上、シリンダ部材がある程度の厚さ（外径）を有するものとなり、したがって薄厚化が困難である。
また、ピストン部材の端面側にコイルバネが配置し、このコイルバネによってピストン部材をシリンダ部材から離脱させる方向に付勢しているが、このようなコイルバネではピストン部材のシリンダ部材に対する相対移動に追従するために十分なストロークを確保する必要があり、したがって連結具の小型化を損なう一因となっている。
【０００７】
本発明は前記事情に鑑みてなされたもので、その目的とするところは、特に薄厚化や小型化を可能にし、多様性を発揮し得るようにした連結具を提供することにある。
【課題を解決するための手段】
【０００８】
前記目的を達成するため本発明の連結具は、連結具本体と、鎖や紐等のストラップ部材の両端部のうちの少なくとも一方に取り付けられ、かつ前記連結具本体に着脱可能に保持される取付部材とを備えてなる連結具であって、
前記取付部材には突起状のカムフロアが設けられ、
前記連結具本体には、前記カムフロアに着脱可能に係合するとともに、該カムフロアとの係合を開始する係合開始位置からこれを係止させる係止位置にまで案内し、かつ前記係止位置から前記係合開始位置にまで案内するハートカム溝が形成され、
さらに、前記カムフロアが前記ハートカム溝に案内されて前記係合開始位置から前記係止位置にまで移動したとき、前記取付部材に押圧されて弾性変形し、かつ、この係止位置から前記係合開始位置にまで移動するとき、弾性復帰することで前記取付部材を前記カムフロアが係合開始位置に移動する方向に付勢する、線状または細板状の弾性部材が設けられ、
前記弾性部材は、少なくとも一方の端部が前記連結具本体に形成された保持溝に移動可能に保持され、
前記保持溝は、前記弾性部材の両端部間の間隔を変位させる方向に延びて形成されていることを特徴としている。
【０００９】
この連結具によれば、取付部材のカムフロアをハートカム溝の係合開始位置に係合させ、かつこの位置から係止位置にまで案内させることにより、該取付部材のカムフロアを係止位置に係止させることができる。また、このとき、取付部材が弾性部材を押圧して弾性変形させることにより、該弾性部材の弾性復帰力が前記カムフロアを係止位置に係止した状態に保持する保持力として作用し、これにより取付部材のカムフロアが係止位置に安定した状態で保持されるようになる。さらに、前記カムフロアを係止位置から前記係合開始位置にまで移動すると、前記弾性部材の弾性復帰力によって前記カムフロアが係合開始位置に移動する方向に前記取付部材が付勢され、したがってこの付勢力によって取付部材が連結具本体から半自動的に外れるようになる。
また、前記弾性部材が、少なくとも一方の端部が前記保持溝に移動可能に保持されているので、該弾性部材が取付部材に押圧されたとき、該弾性部材が前記保持溝内を移動してその両端部間の間隔を狭める。したがって、その長さ方向に弛みが形成されることにより、該弾性部材が容易に弾性変形するようになる。
【００１０】
そして、このように本発明の連結具にあっては、連結具本体に形成されたハートカム溝に取付部材のカムフロアを移動させることにより、前記連結具本体への取付部材の着脱を可能にしているので、例えばハートカム溝を連結具本体の平面上に形成しておくことにより、従来のようにシリンダ部材にピストン部材を嵌入させる構成に比べ、連結具本体を薄厚化することが可能になる。さらに、保持溝を形成したことによって弾性部材に弛みが確保され、弾性変形するようになるので、この弾性部材として例えばコイルバネに比べ小さな線状または細板状のものを用いることができ、これにより連結具自体の小型化を図ることが可能になる。
【００１１】
また、前記連結具においては、前記取付部材が、前記ストラップ部材の端部を取り付ける基部と、該基部に設けられた弾性変形可能な細板状または棒状の動作部とからなり、
前記動作部が、前記基部と反対の側に前記カムフロアを有し、かつ、該カムフロアを有した側が該カムフロアの先端側に向けて傾斜した状態に形成され、これにより前記カムフロアが前記ハートカム溝に係合したとき、弾性変形することで該カムフロアの先端をハートカム溝の底面側に付勢するよう、構成されているのが好ましい。
このように、前記カムフロアが前記ハートカム溝に係合したとき、弾性変形することで該カムフロアの先端をハートカム溝の底面側に付勢するように、動作部が傾斜して形成されているので、ハートカム溝へのカムフロアの係合が良好となる。また、例えばハートカム溝の底部にカムフロアを一方に案内するための段差が形成されている場合に、カムフロアがこの段差を降りることにより、クリック感が得られるとともに音が生じる。
【００１２】
また、前記連結具においては、前記取付部材が、前記ストラップ部材の端部を取り付ける基部と、該基部に設けられた細板状または棒状の動作部とからなり、
前記動作部が、前記基部と反対の側に前記カムフロアを有し、かつ、該カムフロアを有した側が、該カムフロアが前記ハートカム溝に係合したとき、該ハートカム溝を形成する面において、前記係合開始位置と前記係止位置とを結ぶ直線と交差する方向に弾性変形可能に形成されているのが好ましい。
カムフロアがハートカム溝に案内されてこれを移動する際、ハートカム溝は係合開始位置から係止位置に至る経路と逆に係止位置から係合開始位置に至る経路とが別になっていることにより、カムフロアは係合開始位置と係止位置とを結ぶ直線と交差する方向にも移動するようになる。そこで、前記動作部を、前記係合開始位置と前記係止位置とを結ぶ直線と交差する方向に弾性変形可能に形成しているので、ハートカム溝に対するカムフロアの移動がより円滑になる。
【００１３】
また、前記連結具本体には、前記ハートカム溝の係合開始位置の外方に、前記取付部材を着脱可能に保持し、かつ、該取付部材の前記カムフロアを前記ハートカム溝の係合開始位置側に案内する保持部が設けられ、
前記取付部材には、位置決め用係合部が設けられ、
前記保持部には、前記位置決め用係合部に係合して前記カムフロアを前記ハートカム溝内に保持させる案内用係合部が設けられているのが好ましい。
このようにすれば、保持部によって連結具本体への取付部材の取付を容易にすることができる。また、前記取付部材を保持部材に保持させた際に、該保持部によってカムフロアを前記ハートカム溝の係合開始位置側に案内することができ、さらに、案内用係合部と位置決め用係合部とを設けたことによって前記カムフロアの位置を前記ハートカム溝内に保持させることができることから、取付部材を保持部に取り付けることでそのカムフロアをハートカム溝に良好に係合させることができる。
【００１４】
また、前記連結具本体には、前記ハートカム溝を形成した側に該ハートカム溝および前記弾性部材を覆う蓋が設けられ、
前記蓋には、前記取付部材のカムフロアが前記係止位置に係止している状態において、該取付部材の浮き上がりを規制する規制部が設けられているのが好ましい。
このようにすれば、取付部材のカムフロアが係止位置に係止し、連結具本体に前記取付部材が保持固定されているとき、不測の力が働いて前記取付部材が連結具本体から引っ張られても、前記規制部が取付部材の浮き上がりを防止する。したがって、カムフロアがハートカム溝から外れることなく係止位置に留められ、これにより、取付部材が連結具本体から不測に外れてしまうことが防止される。
【００１５】
また、前記連結具においては、前記取付部材が、前記ストラップ部材の両端部にそれぞれ取り付けられるよう一対備えられ、
前記連結具本体には、前記ハートカム溝とこれに対応する前記弾性部材及び保持溝とが、複数組設けられていてもよい。
このようにすれば、ストラップ部材の両端部をそれぞれ連結具本体に着脱可能とすることが可能になり、連結具本体に対するストラップ部材の着脱操作が容易になり、また、例えばストラップ部材や連結具本体を他のものに交換するのが容易になる。
【００１６】
なお、この連結具本体においては、前記ハートカム溝とこれに対応する前記弾性部材及び保持溝とが、前記連結具本体の同一面上に複数組設けられていてもよい。
このようにすれば、連結具本体の同一面上、すなわち一方の側の面に、ハートカム溝等の各構成要素を設けるので、これらハートカム溝等の各構成要素が一組である場合に比べ、連結具本体の厚さが増えることがなく、したがって連結具本体が薄厚化されたものとなる。
【００１７】
また、前記連結具においては、前記ハートカム溝とこれに対応する前記弾性部材及び保持溝とが、前記連結具本体の表裏面にそれぞれ少なくとも一組ずつ設けられていてもよい。
例えば連結具本体の各面にハートカム溝等の各構成要素を一組ずつ設けることで、これら各構成要素は互いに干渉し合わなくなるため、連結具本体を比較的小さな面積に形成することが可能になり、したがって連結具自体の小型化が可能になる。
【００１８】
また、前記連結具は装飾具用であってもよい。
前述したように装飾具には多様性が求められるが、本発明によれば、連結具本体の薄厚化や小型化が可能になり、したがってその形状や寸法についての多様性が発揮されるので、例えば宝石等の装飾材をより際だたせるなどの効果を奏し得るものとなる。
【発明の効果】
【００１９】
本発明の連結具にあっては、前述したように連結具本体を薄厚化することが可能になり、また、連結具自体の小型化を図ることも可能になっているので、特に多様性が求められる装飾具用の連結具に適用した場合に、その形状や寸法についての多様性を発揮させることにより、例えば連結具部分でスッキリ感を出させたり、宝石等の装飾材をより際だたせるなどの効果を奏することができる。
【発明を実施するための最良の形態】
【００２０】
以下、本発明を詳しく説明する。
図１（ａ）、（ｂ）は、本発明の連結具を特にペンダント等の装飾具用に適用した場合の一実施形態を示す図であり、図１（ａ）、（ｂ）中符号１は装飾具用連結具（以下、連結具と記す）である。この連結具１は、連結具本体２と、鎖や紐等のストラップ部材３の両端部のうちの少なくとも一方に取り付けられ、かつ前記連結具本体２に着脱可能に保持される取付部材４とを備えてなるものである。
【００２１】
連結具本体２は、図２に示すように円盤部５と、この円盤部５の側周部に一体に形成された一対の保持部６と、円盤部５の側周部に形成された装飾部７とからなるものである。これら一対の保持部６と装飾部７とは、図１（ａ）に示したように前記円盤部５を中心にして等間隔、すなわち１２０°の角度の間隔で円盤部５より放射状に延びて形成されている。
【００２２】
保持部６は、図２に示すように略円筒状に形成された樹脂製のもので、後述するように取付部材４を着脱可能に保持するものである。装飾部７は、本実施形態の連結具を含む装飾具の、装飾をなす主部材となるもので、図２では単にブロック状に記載してあるものの、例えばこれ自体が宝石等の装飾材であったり、あるいは、この装飾部７からさらに鎖等を介して宝石等の装飾材を吊す形態のものであってもよい。
【００２３】
円盤部５は、その一方の面にハートカム溝８を形成した円盤状で樹脂製のものである。このハートカム溝８は、後述する取付部材４のカムフロアと弾性部材とにより、従来公知のハートカム機構を構成するものである。すなわち、このハートカム溝８は、図３に示すように、前記一対の保持部６のうちの一方の保持部６ａの内部孔に連通するように形成されたもので、この保持部６ａの内部孔に連通する開口を有した係合開始位置Ｐと、この係合開始位置Ｐの前方に設けられた係止位置Ｒとを備えた平面視略ハート形状のものである。
【００２４】
このハートカム溝８には、後述する取付部材のカムフロアを、図３中矢印方向に一方通行で進ませるべく、各所定位置の底面に段差や傾斜が設けられている。具体的には、前記係合開始位置Ｐから矢印方向に進んで二股に分岐する位置において、その一方の側に高い壁となる第１の段差Ｔ１が形成されており、これによってカムフロアは、段差Ｔ１を乗り越えられずに、矢印方向に進むようなっている。また、矢印方向に進み、第１の折り返し点Ｑに至りさらにここを折り返すと、ここにも高い壁となる第２の段差Ｔ２が形成されていることから、カムフロアは逆戻りできずに次の矢印方向に沿って進み、前記の係止位置Ｒに至る。さらに、この係止位置Ｒの、前記第１の折り返し点Ｑ側には高い壁となる第３の段差Ｔ３が形成されており、これによってカムフロアは、矢印方向に沿って第２の折り返し点Ｓ側にのみ進むようになっている。そして、この第２の折り返し点Ｓにおいても、高い壁となる第４の段差Ｔ４が形成されており、カムフロアは逆戻りできずに矢印方向に沿って進み、前記第１の段差Ｔ１を降り、係合開始位置Ｐに戻るようになっている。
【００２５】
また、円盤部５には、前記ハートカム溝８の両側にそれぞれ保持溝９が形成されている。保持溝９は、後述する弾性部材の端部を移動可能に保持するもので、円盤部５の外周側から中心側に延び、かつ、前記ハートカム溝８の係合開始位置Ｐ側から係止位置Ｒ側に延びて形成されたものである。
【００２６】
これら保持溝９、９には、図４（ａ）、（ｂ）に示すように弾性部材１０が取り付けられている。この弾性部材１０は、図２に示すようにその両端部にそれぞれコイル部１０ａを形成した線状で金属製のもので、コイル部１０ａ、１０ａ間のバネ部１０ｂが弓なりに弾性変形すべく湾曲可能に形成されたものである。なお、この弾性部材１０は、図４（ａ）に示すように取付部材４によって押圧されていない状態では、バネ部１０ｂがそのバネ性によって直線状に伸び、その両端部が拡げられることにより、コイル部１０ａ、１０ａを保持溝９、９のそれぞれの外周側に位置させるようになっている。また、この状態から、図４（ｂ）に示すように取付部材４によってバネ部１０ｂが前記係止位置Ｒ側に押圧されると、コイル部１０ａ、１０ａは保持溝９、９をその中心側に移動し、コイル部１０ａ、１０ａ間を狭めるようになっている。
【００２７】
また、このような構成からなる連結具本体２には、図１、図２に示すように前記ハートカム溝８を形成し、さらに前記弾性部材１０を取り付けた側の面に、これらを覆って蓋１１が取り付けられている。蓋１１は、円盤部５のハートカム溝８を形成した面を覆うべく、円盤部５の外周部の係合段部５ａに嵌合する有蓋円筒状のもので、樹脂によって形成され、熱溶着や接着等によって前記係合段部５ａに固定されたものである。この蓋１１には、図５に示すようにその裏面の、前記ハートカム溝８における係止位置Ｒと対応する位置、すなわち蓋１１が連結具本体２に被着された際に係止位置Ｒのほぼ直上となる位置に、第１の規制突起（規制部）１２ａが形成されている。
【００２８】
第１の規制突起１２ａは、前記取付部材４の浮き上がりを規制してこれを防止するもので、後述するように特に取付部材４のカムフロアが前記係止位置Ｒに係止している状態において、この取付部材４の浮き上がりを規制し防止するものである。すなわち、この第１の規制突起１２ａは、特に取付部材４のカムフロアが前記係止位置Ｒに係止した際、その端面が前記取付部材４に当接することなく、これより僅か上方に位置するように形成配置されたものである。したがって、後述するように取付部材４に不測の力が働き、これが連結具本体２から引っ張られ、カムフロアがハートカム溝８から外れようとして取付部材４がハートカム溝８の上方に浮き上がろうとしても、第１の規制突起１２ａがこれに当接することにより、取付部材４が連結具本体２から不測に外れてしまうことを防止しているのである。
【００２９】
また、蓋１１の裏面には、前記保持溝９、９と対応する位置にそれぞれ第２の規制突起１２ｂが形成されている。これら規制突起１２ｂは、前記保持溝９、９に取り付けられた弾性部材１０のコイル部１０ａの浮き上がりを防止するためのもので、通常時においてはその端面が前記保持溝９、９に取り付けられた弾性部材１０に当接することなく、これより僅か上方に位置するように形成されたものである。このような構成のもとに第２の規制突起１２ｂは、弾性部材１０がその移動や弾性変形に伴って保持溝９より外側に飛び出そうになった際、これに当接することで、コイル部１０ａが保持溝９から浮き上がるのを防止するようになっている。
【００３０】
取付部材４は、図２および図６（ａ）〜（ｃ）に示すようにストラップ部材３の端部を取り付ける略円柱状の基部１３と、該基部１３と一体に形成された細板状の動作部１４と、からなる樹脂製のものである。基部１３は、図６（ｃ）に示すようにその後端面に開口し、かつその中心軸方向に沿って先端側に延びる孔１５を形成したもので、この孔１５内にストラップ部材３の端部を保持固定するようにしたものである。すなわち、この基部１３にはその外周面に溝１６が形成されており、この溝１６内には図６（ｂ）に示すように前記孔１５に連通する一対の保持孔１７が形成されている。これら保持孔１７は、図６（ｃ）に示すように相対向して配設されたものである。
【００３１】
そして、前記孔１５にストラップ部材３の端部が挿入された後、Ｃ字状のリング（図示せず）が溝１６内に回装され、さらにその両端部がそれぞれ保持孔１７内に挿通されてその端部が前記孔１５内のストラップ部材３の端部に係合されあるいは食い込まされることなどにより、図２に示したように孔１５内にストラップ部材３の端部が保持固定されている。
なお、基部１３の後端側は、Ｃ字状のリングを回装し易くするため、前記溝１６より後端側に行くに連れて、漸次縮径したものとなっている。
【００３２】
また、前記基部１３は、前記連結具本体２の保持部６ａに着脱可能に保持されるべく、その外径が該保持部６ａの内径とほぼ同じに形成されている。さらに、この基部１３には、図６（ａ）に示したようにその外周面に突条状の位置決め用係合部１８が形成されている。この位置決め用係合部１８は、前記連結具本体２の保持部６ａの内部孔内に形成された溝状の案内用係合部１９（図１（ｂ）参照）に、着脱可能に係合するもので、このような係合により、取付部材４が正規の取付状態で保持部６ａ内に取り付けられるようになっている。
【００３３】
動作部１４は、前記基部１３の先端側で、かつ該基部１３の周縁部の、前記位置決め用係合部１８を形成した側から延びて形成されたもので、図６（ｂ）に示すように該基部１３側にくびれ部２０を形成し、図６（ｃ）に示すように先端側の一方の面に突起状のカムフロア２１を形成したものである。くびれ部２０は、図６（ｂ）に示したように細板状の動作部１４の両方の長辺にそれぞれ切欠が形成され、これら切欠間の長さ、すなわち短辺長さが他の部分に比べて十分に小さく形成されてなるもので、これによって動作部１４の先端側（カムフロア２１側）を、その短辺方向に弾性変形可能にしたものである。なお、このくびれ部２０については、動作部１４のカムフロア２１側を短辺方向に弾性変形させることができれば、基部１３側に形成することなく、カムフロア２１の近くに形成するようにしてもよい。
【００３４】
カムフロア２１は、図６（ｃ）に示したように、基部１３において動作部１４が形成された側と反対の側に向けて突出したもので、前記連結具本体２のハートカム溝８に係脱可能に係合し、かつ該ハートカム溝８内に移動可能となるように形成されたものである。ここで、このカムフロア２１は、後述するようにハートカム溝８内を移動した際、前記の弾性部材１０を押圧し、またはこの弾性部材１０によって付勢されるようになっている。
【００３５】
また、動作部１４は、その後端側である前記基部１３から先端側に行くに連れて、前記基部１３の中心軸に対して傾斜して形成されている。すなわち、この動作部１４は、カムフロア１９が形成された側に行くに連れて、該カムフロア１９が向く方向（先端方向）である図６（ｃ）中の矢印Ａ方向に向けて、漸次傾斜して形成されている。このような構成のもとに動作部１４は、後述するようにカムフロア１９がハートカム溝８に係合した際、このハートカム溝８の底面に当接することで、図６（ｃ）中の矢印Ｂ方向に弾性変形させられるようになっている。したがって、このようにカムフロア１９がハートカム溝８に係合している状態では、動作部１４がその弾性復帰力により、カムフロア１９をハートカム溝８の底面側に付勢するようになっている。
【００３６】
また、この動作部１４には、カムフロア２１を形成した面と反対の側の面に突条状の補強用リブ２２が形成されている。これによって動作部１４は、前記した弾性変形と弾性復帰力とによるバネ性を良好に発揮し、前記カムフロア１９に対する付勢力を長期間に亘って良好に維持するようになっている。
【００３７】
なお、このような構成からなる取付部材４は、本実施形態では連結具本体２の一方の保持部６ａに着脱可能に保持されるものである。そして、他方の保持部６には、前記ストラップ部材３の他方の端部が直接取り付けられ、あるいは、前記取付部材４の基部１３と同様の構成からなる取付部材（図示せず）を介して取り付けられるようになっている。
ストラップ部材３は、前述したように鎖や紐等からなるもので、その一方の端部側が前記取付部材４に保持固定され、他方の端部側が保持部６に直接、あるいは間接的に取り付けられたものである。
【００３８】
次に、このような構成の連結具１の使い方を説明する。
まず、この連結具１を用いてなる装飾具を首に巻くため、予め取付部材４を外しておき、その状態でストラップ部材３を首に巻く。そして、その状態のもとで、取付部材４をその動作部１４側から連結具本体２の一方の保持部６ａ内に挿入する。すると、保持部６ａは取付部材４のカムフロア２１をハートカム溝８の係合開始位置Ｐ側に案内するようになっていることから、操作者はこの取付部材４を回動させることによって図４（ａ）に示したようにカムフロア２１を係合開始位置Ｐ内に容易に進入させることができる。
【００３９】
このようにしてカムフロア２１がハートカム溝８に進入したら、操作者はさらに取付部材４を挿入する。すると、取付部材４はそのカムフロア２１がハートカム溝８の形状に沿って図３に示した係合開始位置Ｐから第１の折り返し点Ｑに進む。このとき、ハートカム溝８上にはこれを横断して弾性部材１０が設けられていることから、カムフロア２１はこの弾性部材１０のバネ部１０ｂを押圧しつつ第１の折り返し点Ｑに進むことになる。
【００４０】
そして、この第１の折り返し点Ｑに進むとそれ以上カムフロア２１が前進できず、取付部材４の挿入ができなくなることから、操作者は取付部材４の押圧をやめる。このとき、弾性部材１０はカムフロア２１に押圧され、そのコイル部１０ａ、１０ａがそれぞれ保持溝９内を移動してこれらコイル部１０ａ、１０ａ間を狭めることにより、バネ部１０ｂが弓なりに弾性変形する。したがって、その弾性復帰力がカムフロア２１に働き、これを係合開始位置Ｐ側に付勢する。これにより、カムフロア２１はハートカム溝８の移動方向に沿って図４（ｂ）に示すように係止位置Ｒに至り、ここに係止する。
【００４１】
このとき、弾性部材１０の弾性復帰力（付勢力）は、カムフロア２１を係止位置Ｒに係止させた状態で保持する保持力として作用することから、取付部材４は、そのカムフロア２１が係止位置Ｒに安定した状態で保持されたものとなる。そして、このように取付部材４が連結具本体２に安定して保持され、したがってストラップ部材３が連結具本体２を介して環状となることにより、この連結具１を用いてなる装飾具は、不測に外れてしまうことなく、首に安定した状態で巻かれるようになる。
【００４２】
また、蓋１１の裏面に、取付部材４の浮き上がりを規制する第１の規制突起１２ａが形成されているので、取付部材４に不測の力が働き、これが連結具本体２から引っ張られても、これが連結具本体２から不測に外れてしまうことが防止されている。すなわち、取付部材４が連結具本体２から引っ張られ、カムフロア２１がハートカム溝８から外れようとして取付部材４がハートカム溝８の上方に浮き上がろうとしても、第１の規制突起１２ａがこれに当接し干渉することで、取付部材４の浮き上がりが規制され、これにより取付部材４が連結具本体２から不測に外れないようになっているのである。
【００４３】
また、このように首に巻いた状態から前記装飾具を外すときには、例えばストラップ部材３を介して再度取付部材４を押圧する。すると、取付部材４のカムフロア２１は係止位置Ｒから図３に示した第２の折り返し点Ｓに進む。そして、この第２の折り返し点Ｑに進むとそれ以上カムフロア２１が前進できず、取付部材４の押圧ができなくなることから、操作者は取付部材４の押圧をやめる。すると、弾性部材１０の弾性復帰力がカムフロア２１に働くことで、これが付勢されて図４（ａ）に示したように係合開始位置Ｐ側に半自動的に移動し、カムフロア２１の係止位置Ｒへの係止が解除される。したがって、操作者はストラップ部材３または取付部材４の基部１３を引っ張り、取付部材４を保持部６ａから引き出すことで、ストラップ部材３を環状から紐状に戻すことができ、これにより装飾具を首から容易に取り外すことができる。
【００４４】
このような連結具１にあっては、ハートカム溝８を連結具本体２の一平面上に形成し、このハートカム溝８に取付部材４のカムフロア４を移動させることで、前記連結具本体２への取付部材４の着脱を可能にしているので、従来のようにシリンダ部材にピストン部材を嵌入させる構成に比べ、連結具本体２を薄厚化することができる。さらに、保持溝９、９を形成したことによって弾性部材１０の両端部間を変位可能にし、これによってそのバネ部１０ｂに弛みが確保されるようにしたので、この弛みによって弾性変形が可能となることにより、この弾性部材１０を例えばコイルバネに比べて小さくすることができ、これにより連結具１自体の小型化を図ることができる。
そして、このように連結具本体２を薄厚化することができ、また、連結具１自体の小型化を図ることもできるので、特に多様性が求められる装飾具用の連結具に適用した場合に、その形状や寸法についての多様性を発揮させることにより、例えば連結具部分でスッキリ感を出させたり、宝石等の装飾材をより際だたせるなどの効果を奏することができる。
【００４５】
また、取付部材４に位置決め用係合部１８を形成し、保持部６ａに案内用係合部１９を形成しているので、特に取付部材４の保持部６ａへの挿入時においては、案内用係合部１９に位置決め用係合部１８を係合させることで保持部６ａ内に取付部材４を正規な状態で取り付けることができ、これにより取付部材４のカムフロア２１をハートカム溝８に良好に係合させることができる。
【００４６】
また、動作部１４が傾斜して形成され、これによりカムフロア２１がハートカム溝８に係合したとき、弾性変形することで該カムフロア２１の先端をハートカム溝８の底面側に付勢するようになっているので、ハートカム溝８へのカムフロア２１の係合が良好となる。また、カムフロア２１がハートカム溝８の段差Ｔ１〜Ｔ４を降りた際、クリック感が得られるとともに音が生じることから、操作者は例えばカムフロア２１が係止位置Ｒに係止したことなどを、触感と音の両方で感知することができる。
【００４７】
また、取付部材４の動作部１４にくびれ部２０が形成され、これにより動作部１４の先端側（カムフロア２１側）を短辺方向、すなわち、ハートカム溝８の係合開始位置Ｐと係止位置Ｒとを結ぶ直線と交差する方向に弾性変形可能に形成しているので、ハートカム溝８が係合開始位置Ｐから係止位置Ｒに至る経路と、逆に係止位置Ｒから係合開始位置Ｐに至る経路とが別になっているにもかかわらず、このハートカム溝８に対するカムフロア２１の移動をより円滑にすることができる。
【００４８】
なお、本発明は前記実施形態に限定されることなく、本発明の要旨を逸脱しない限り種々の変更が可能である。例えば、取付部材４における動作部１４の形状については、細板状でなく棒状としてもよい。
また、特に前記実施形態では、ストラップ部材３の一端側にのみ連結具本体２の保持部６ａに対し着脱可能な取付部材４を取り付け、他端側は連結具本体２の保持部６に直接、あるいは間接的に取り付けるようにしたが、ストラップ部材３の両端部にそれぞれ、前記取付部材４を取り付けるようにしてもよい。その場合には、これら取付部材４を保持部６（６ａ）に対し着脱可能にするべく、前記連結具本体２に、ハートカム溝８とこれに対応する弾性部材１０及び保持溝９とを二組（複数組）設ける。
【００４９】
その場合に、これらハートカム溝８、弾性部材１０、保持溝９については、連結具本体２の一方の側の面（同一面）上に二組設けるようにしてもよく、連結具本体２の表裏面にそれぞれ一組ずつ設けるようにしてもよい。すなわち、図７（ａ）に示すように、連結具本体２の一方の側の面にハートカム溝８を二つ形成し、これらハートカム溝８の係合開始位置Ｐにそれぞれ保持部６ａを対応させて形成してもよい。なお、図示しないものの、弾性部材１０を保持溝９に設けるのはもちろんである。また、この例では、蓋１１についても、その裏面に第１の規制突起１２ａを二つ形成し、さらに第２の規制突起１２ｂも二組形成する。
【００５０】
また、図７（ｂ）に示すように、連結具本体２の表裏面にそれぞれハートカム溝８を形成し、これらハートカム溝８の係合開始位置Ｐにそれぞれ保持部６ａを対応させて形成してもよい。なお、図示しないものの、この例においても、弾性部材１０を保持溝９に設ける。また、この例では、図５に示した構成の蓋１１を、連結具本体２の表裏面にそれぞれ設けるようにする。
【００５１】
このように、ストラップ部材３の両端部にそれぞれ取付部材４を取り付け、連結具本体２にハートカム溝８等を二組形成することにより、ストラップ部材３の両端部がそれぞれ連結具本体２に着脱可能となり、したがって連結具本体２に対するストラップ部材３の着脱操作が容易になり、また、例えば一部が破損した場合など、ストラップ部材３や連結具本体２を他のものに交換するのが容易になる。
【００５２】
また、図７（ａ）に示したように、連結具本体２の一方の側の面にハートカム溝８等を二組形成した場合には、これらハートカム溝８等が一組である場合に比べ、連結具本体２の厚さが増えることがなく、したがって連結具本体２が薄厚化されたものとなる。よって、連結具自体の小型化を図ることができる。
また、図７（ｂ）に示したように、連結具本体２の表裏面にそれぞれハートカム溝８等を形成した場合には、これらハートカム溝８等の各構成要素が互いに干渉し合わないため、連結具本体２を比較的小さな面積で形成することができる。よって、連結具自体の小型化を図ることができる。
【００５３】
また、前記実施形態では、本発明の連結具を装飾具用に適用した場合について説明したが、本発明はこれに限定されることなく、他に例えば、連結具本体２の装飾部７をキーホルダや社員証等の各種カードなどに代えることにより、キーホルダやカードなどを首等に保持するための連結具とすることもできる。
【図面の簡単な説明】
【００５４】
【図１】本発明の連結具の一実施形態の概略構成を示す図であり、（ａ）は平面図、（ｂ）は側面図である。
【図２】図１に示した連結具の要部の分解斜視図である。
【図３】連結具本体に形成されたハートカム溝を説明するための平面図である。
【図４】（ａ）、（ｂ）は連結具本体に対する取付部材の動作を説明するための平面図である。
【図５】蓋の裏面側の構成を示す斜視図である。
【図６】取付部材の概略構成を示す図であって、（ａ）は斜視図、（ｂ）は平面図、（ｃ）は一部を断面視した側面図である。
【図７】（ａ）、（ｂ）は、本発明の連結具の他の実施形態の概略構成を説明するための模式図である。
【符号の説明】
【００５５】
１…連結具（装飾具用連結具）、２…連結具本体、３…ストラップ部材、４…取付部材、６（６ａ）…保持部、７…装飾部、８…ハートカム溝、９…保持溝、１０（１０ａ、１０ｂ）…弾性部材、１１…蓋、１２ａ…第１の規制突起（規制部）、１３…基部、１４…動作部、１８…位置決め用係合部、１９…案内用係合部、２０…くびれ部、２１…カムフロア、Ｐ…係合開始位置、Ｒ…係止位置
【図１】
2006333938.tif 000003
【図２】
2006333938.tif 000004
【図３】
2006333938.tif 000005
【図４】
2006333938.tif 000006
【図５】
2006333938.tif 000007
【図６】
2006333938.tif 000008
【図７】
2006333938.tif 000009